(57)【要約】【課題】  本発明の載置装置は、記録媒体の座屈等に起因する排出不良を防止することができ、且つ、積載される記録媒体が静電気により密着することを防止できる載置装置の提供を目的とする。【解決手段】  本発明の載置装置は、排出される媒体を一時的に支持する回動可能な一対の支持部と、前記一対の支持部に前記媒体が搬送されることを検出する検出部と、前記一対の支持部に支持された前記媒体を前記支持部を動作させて搬送する駆動部と、前記駆動部が動作することにより前記支持部から搬送された前記媒体を前記一対の支持部に対して所定距離だけ隔てて載置する載置部と、前記一対の支持部に支持された前記媒体を前記載置部に載置されるように前記駆動部を動作させる制御部とを有することを特徴とする。【選択図】  図１０
2010099892.tif 000002
【特許請求の範囲】
【請求項１】
排出される媒体を一時的に支持する回動可能な一対の支持部と、
前記一対の支持部に前記媒体が搬送されることを検出する検出部と、
前記一対の支持部に支持された前記媒体を前記支持部を動作させて搬送する駆動部と、
前記駆動部が動作することにより前記支持部から搬送された前記媒体を前記一対の支持部に対して所定距離だけ隔てて載置する載置部と、
前記一対の支持部に支持された前記媒体を前記載置部に載置されるように前記駆動部を動作させる制御部とを有することを特徴とする載置装置。
【請求項２】
前記一対の支持部は、導電性材料から形成されていることを特徴とする請求項１に記載の載置装置。
【請求項３】
前記一対の支持部は、接地されていることを特徴とする請求項１に記載の載置装置。
【請求項４】
前記一対の支持部は、排出される媒体の進行方向に対して両側に延在するように形成されていることを特徴とする請求項１に記載の載置装置。
【請求項５】
前記制御部は、前記一対の支持部に前記媒体が搬送されると前記一対の支持部が互いに離間及び近接するように前記駆動部を動作させることを特徴とする請求項１に記載の載置装置。
【請求項６】
前記一対の支持部は、前記一対の支持部の一部が前記載置部に設けられた孔から延在して前記媒体を支持することを特徴とする請求項１項に記載の載置装置。
【請求項７】
排出される前記媒体を裏面側から一時的に押し上げる回動可能な当接部を更に有し、
前記制御部は、前記一対の支持部に支持された前記媒体を前記載置部に載置されるように前記駆動部を動作させた後、前記一対の当接部が前記媒体を裏面側から押し上げるように前記駆動部を動作させることを特徴とする請求項１に記載の載置装置。
【請求項８】
前記当接部は、導電性材料から形成されていることを特徴とする請求項７に記載の載置装置。
【請求項９】
前記当接部は、接地されていることを特徴とする請求項７に記載の載置装置。
【請求項１０】
前記当接部は、対向するように一対に設けられていることを特徴とする請求項７に記載の載置装置。
【請求項１１】
前記当接部は、前記一対の支持部と一体に形成されていることを特徴とする請求項７に記載の載置装置。
【請求項１２】
前記当接部は、前記当接部の一端が前記載置部の中央部に設けられた孔から突出して前記媒体に当接することを特徴とする請求項７項に記載の載置装置。
【請求項１３】
請求項１乃至請求項１２のいずれか１項に記載の載置装置を有することを特徴とする画像形成装置。
【発明の詳細な説明】
【技術分野】
【０００１】
本発明は、上位装置等から入力された画像データが印刷された記録媒体を載置する載置装置、及び当該載置部を有する画像形成装置に関する。
【背景技術】
【０００２】
従来、プリンタ、複写機、ファクシミリ装置、及び電子写真カラー記録装置等の画像形成装置においては、媒体の排出時に発生する貼り付きなどの不良を改善するために、媒体の搬送ルートに１つ以上の除電ブラシを配置し、当該除電ブラシにより媒体に残存する静電気を除去する画像形成装置がある(例えば、特許文献１参照。)。
【０００３】
【特許文献１】特開平６-２９７８０７号公報
【発明の開示】
【発明が解決しようとする課題】
【０００４】
しかしながら、前述の構成では、例えばＯＨＰを用いた発表等のためにプラスチックシートなどの媒体に印刷する場合には、当該媒体の除電を十分に行うことができない。また、排出された媒体が、載置面又は排出済みで積載されている他の媒体と接触することにより密着して座屈する等の排出不良の問題があった。
【０００５】
そこで、本発明は前述の技術的な課題に鑑み、記録媒体の座屈等に起因する排出不良を防止することができ、且つ、積載される記録媒体が静電気により密着することを防止できる載置装置の提供を目的とする。
【課題を解決するための手段】
【０００６】
前述の課題を解決すべく、本発明に係る載置装置は、排出される媒体を一時的に支持する回動可能な一対の支持部と、前記一対の支持部に前記媒体が搬送されることを検出する検出部と、前記一対の支持部に支持された前記媒体を前記支持部を動作させて搬送する駆動部と、前記駆動部が動作することにより前記支持部から搬送された前記媒体を前記一対の支持部に対して所定距離だけ隔てて載置する載置部と、前記一対の支持部に支持された前記媒体を前記載置部に載置されるように前記駆動部を動作させる制御部とを有することを特徴とする。
【発明の効果】
【０００７】
本発明に係る載置装置によれば、載置装置に除電機構及び座屈等を補正する機構を設けることにより、排出不良を防止することができ、且つ、積載された記録媒体が静電気により密着することを防止することができる。
【発明を実施するための最良の形態】
【０００８】
以下、本発明の載置装置及び画像形成装置に係る好適な実施形態について図面を参照しながら説明する。なお、本発明の画像形成装置は、以下の記述に限定されるものではなく、本発明の要旨を逸脱しない範囲において、適宜変更可能である。
【０００９】
［第１の実施形態］
まず、本実施形態の画像形成装置１について説明する。図１に画像形成装置１の構成図を示す。画像形成装置１は、ブラック色、イエロー色、マゼンタ色、及びシアン色の各色に対応する画像情報に基づいて記録媒体４に画像を印刷する。
【００１０】
画像形成装置１は、カセットトレイ１１から記録媒体４を取り出し転写ユニット３０内に設けられた転写ベルト３１に記録媒体４を静電吸着させる給紙部１０、図示せぬ上位装置からの画像情報に基づきトナー画像を形成する画像形成ユニット２０、画像形成ユニット２０で形成されたトナー画像を記録媒体４に転写する転写ユニット３０、転写ユニット３０で記録媒体４に転写されたトナー画像を溶解及び加圧して定着させる定着ユニット４０、定着ユニット４０から排出された記録媒体４を印刷面が表面になるように載置装置であるフェイスアップスタッカユニット６０に排出するフェイスアップ排出ユニット５０、フェイスアップスタッカユニット６０を駆動させるフェイスアップスタッカ駆動ユニット７０、及び定着ユニット４０から排出された記録媒体４を印刷面が裏面になるようにフェイスダウンスタッカユニット９０に排出するフェイスダウン排出ユニット８０から構成される。また、フェイスアップ用紙搬送経路２は、給紙部１０、画像形成ユニット２０、転写ユニット３０、定着ユニット４０、及びフェイスアップ排出ユニット５０内において記録媒体４が搬送される略弓字状の経路である。同様に、フェイスダウン用紙搬送経路３は、給紙部１０、画像形成ユニット２０、転写ユニット３０、定着ユニット４０、及びフェイスダウン排出ユニット８０内において記録媒体４が搬送される略Ｓ字状の経路である。以下、フェイスアップ用紙搬送経路２及びフェイスダウン用紙搬送経路３に配設された各構成部材について図１を参照しながら具体的に説明する。
【００１１】
給紙部１０は、カセットトレイ１１から記録媒体４を取り出し転写ユニット３０内に設けられた転写ベルト３１に記録媒体４を静電吸着させる。また、給紙部１０は、カセットトレイ１１、リタードローラ１２、給紙ローラ１３、プレッシャローラ１４、及びレジストローラ１５から構成される。以下、給紙部１０を構成する各構成部材について具体的に説明する。カセットトレイ１１は、複数枚の記録媒体４を積層して収納しておき、印刷動作が開始されると記録媒体４を画像形成装置１内に供給する。なお、カセットトレイ１１は、画像形成装置１から脱着可能なように構成されている。なお、記録媒体４は、モノクロ又はカラーの画像情報を印刷させるための所定寸法の記録用紙であり、一般的には、普通紙、再生紙、光沢紙、上質紙、プラスチックシート、及びＯＨＰフィルム等からなる。また、リタードローラ１２は、カセットトレイ１１に収納した記録媒体４に対して圧接した状態で回転することにより記録媒体４をカセットトレイ１１から１枚ずつ分離して取り出す。また、給紙ローラ１３は、記録媒体４を挟むようにリタードローラ１２と対向して配設され、記録媒体４をプレッシャローラ１４及びレジストローラ１５に搬送する。また、プレッシャーローラ１４及びレジストローラ１５は、搬送されてきた記録媒体４を挟むように対向して配設され、レジストローラ１５で加圧したプレッシャーローラ１４を回転させることで、記録媒体４の波打ち及び斜行に係る補正を行いながら、転写ユニット３０内に設けられた転写ベルト３１に記録媒体４を搬送して静電吸着させる。
【００１２】
画像形成ユニット２０は、図示せぬ上位装置からのブラック色、イエロー色、マゼンタ色、及びシアン色の各色に対応する画像情報に基づいてトナー画像を形成する。また、ブラック色、イエロー色、マゼンタ色、及びシアン色の各色にそれぞれ対応する画像形成ユニット２０Ｋ、２０Ｙ、２０Ｍ、及び２０Ｃは、画像形成装置１内において記録媒体４の搬送方向の順にそれぞれ配設されている。なお、画像形成ユニット２０Ｋ、２０Ｙ、２０Ｍ、及び２０Ｃは、互いに略同一の構成であるため、画像形成ユニット２０と称す。画像形成ユニット２０は、画像情報に基づく静電潜像を担持する感光体ドラム２１と、感光体ドラム２１の表面に電荷を蓄えさせる帯電ローラ２２と、画像情報に対応した光を感光体ドラム２１の表面に照射する画像形成装置１本体に設けられたＬＥＤヘッド２３と、現像剤であるトナー２４を貯蔵するトナーカートリッジ２５と、トナー２４を現像ローラ２７に供給するトナー供給ローラ２６と、感光体ドラム２１表面の静電潜像をトナー２４により現像する現像ローラ２７と、現像ローラ２７に担持されたトナー２４の厚みが均一となるように規制する現像ブレード２８と、感光体ドラム２１に残留したトナー２４を掻き落とすクリーニングブレード２９から構成される。また、画像形成ユニット２０は画像形成装置１に対して着脱可能に配設されている。以下、画像形成ユニット２０を構成する各構成部材について具体的に説明する。
【００１３】
画像形成ユニット２０内の感光体ドラム２１は、現像剤像が形成される像担持体であり、画像情報に基づく静電潜像を担持するために表面に電荷を蓄えることが可能なように構成されている。なお、感光体ドラム２１は、円筒形状部から成り、回転可能なように設けられている。この様な感光体ドラム２１は、アルミニウム等から成る導電性基層に光導電層と電荷輸送層からなる感光層を形成している。また、帯電ローラ２２は、図示せぬ電源を用いて感光体ドラム２１の表面に所定の正電圧又は負電圧を印加することにより、感光体ドラム２１の表面に対して一様に電荷を蓄えさせるためのものである。帯電ローラ２２は、一定の圧力で感光体ドラム２１の表面に接触しながら回転可能なように設けられている。この様な帯電ローラ２２は、導電性の金属シャフトにシリコーン等の半導電性ゴムを被覆することで構成されている。また、ＬＥＤヘッド２３は、画像情報に対応した光を感光体ドラム２１の表面に照射して感光ドラム１１の表面に静電潜像を形成することが可能なように構成されており、感光体ドラム２１の上方に位置するように画像形成装置１本体に設けられる。この様なＬＥＤヘッド２３は、複数のＬＥＤ素子、レンズアレイ、及びＬＥＤ駆動素子を組み合わせたものから構成されている。また、トナー２４は、ポリエステル樹脂、着色剤、帯電制御剤、及び離型剤から成る。なお、トナー２４の帯電特性を上げるために、疎水性シリカである外添剤を添付している。また、トナーカートリッジ２５は、トナー２４を貯蔵する収容器であり、トナー供給ローラ２６の上方に装着される。なお、トナーカートリッジ２５は、例えば側面部が略円形状で記録媒体４の搬送方向と垂直方向に長い矩形状部から形成される。また、トナーカートリッジ２５は、印刷動作によりトナー２４が消耗した時に交換するために着脱自在に構成されている。
【００１４】
画像形成ユニット２０内のトナー供給ローラ２６は、回転しながら現像ローラ２７に当接することで、現像ローラ２７にトナー２４を供給できるように設けられている。この様なトナー供給ローラ２６は、例えば導電性を有する金属シャフトに発泡剤が添加されたゴムを被覆することで構成されている。また、現像ローラ２７は、一定の圧力で感光体ドラム２１の表面に接触しながら回転可能なように構成されている。現像ローラ２７は、回転しながらトナー２４を感光体ドラム２１に搬送し、感光体ドラム２１の表面に形成された静電潜像をトナー２４によって現像する。この様な現像ローラ２７は、円筒形状部から成り、導電性を有する金属シャフトに半導電ウレタンゴム材等を被覆することで構成されている。また、現像ブレード２８は、その先端部が現像ローラ２７の表面に当接するように設けられ、トナー供給ローラ２６から現像ローラ２７の表面に供給された内、一定量を越えたトナー２４を掻き取ることで、現像ローラ２７の表面に形成されるトナー２４の厚みを常に均一となるように規制する。この様な現像ブレード２８は、ステンレス等の板状弾性部材で形成されている。また、クリーニングブレード２９は、ゴム材等から成る板状部から形成され、感光体ドラム２１上に形成されたトナー画像を記録媒体４に転写した後に感光体ドラム２１に残留したトナー２４を掻き落とすために、クリーニングブレード２９の先端部を感光体ドラム２１の表面に当接させるように配設する。
【００１５】
転写ユニット３０は、画像形成ユニット２０で形成されたトナー画像を記録媒体４に転写する。また、転写ユニット３０は、転写ベルト３１、ドライブローラ３２、アイドルローラ３３、及び転写ローラ３４から構成される。以下、転写ユニット３０を構成する各構成部材について具体的に説明する。ドライブローラ３２及びアイドルローラ３３は、無端状に形成された転写ベルト３１の両端に設けられ、後述する転写ベルト３１に一定の張力を与えている。なお、ドライブローラ３２及びアイドルローラ３３は、高摩擦抵抗から成る部材で形成され、ドライブローラ３２及びアイドルローラ３３を図示せぬ駆動系によって回転させると、転写ベルト３１が従動して駆動する。また、転写ベルト３１は、記録媒体４を画像形成ユニット２０に搬送して画像情報を転写するための搬送手段であり、転写ベルト３１の周面上に記録媒体４を静電吸着できるようにした無端状のベルトである。また、転写ローラ３４は、感光体ドラム２１の下方に位置し、転写ローラ３４と感光体ドラム２１により記録媒体４を挟むように当接した状態で回転可能に設けられている。この様な転写ローラ３４には、トナー２４の帯電とは逆極性のバイアス電圧が供給され、感光体ドラム２１の表面に形成されたトナー画像を記録媒体４に転写する。
【００１６】
定着ユニット４０は、転写ユニット３０で記録媒体４に転写されたトナー画像を溶解及び加圧して定着させる。また、定着ユニット４０は、定着ローラ４１及び加圧ローラ４２から構成される。以下、定着ユニット４０を構成する各構成部材について具体的に説明する。定着ローラ４１と加圧ローラ４２は、転写ベルト３１により搬送されてきた記録媒体４を挟むように対向して配設され、記録媒体４に転写されたトナー画像を定着させる。具体的には、定着ローラ４１及び加圧ローラ４２は表面が弾性体で円筒形状部から形成され、円筒形状部の内部にそれぞれハロゲンランプ等のヒータが配設されている。このような定着ローラ４１及び加圧ローラ４２は記録媒体４上に弱い静電気力だけで付着しているトナー画像を溶解した上で、加圧ローラ４２の加圧力によりトナー画像を記録媒体４に定着させる。なお、加圧ローラ４２は、定着ローラ４１の回転に付勢されることで従動する。
【００１７】
フェイスアップ排出ユニット５０は、定着ユニット４０から排出された記録媒体４を印刷面が表面になるようにフェイスアップスタッカユニット６０に排出する。また、フェイスアップ排出ユニット５０は、経路切換器５１、フェイスアップ排出ローラ５２、フェイスアップ排出コロ５３、及び検出部であるフェイスアップ排出センサ５４から構成される。以下、フェイスアップ排出ユニット５０を構成する各構成部材について具体的に説明する。経路切換器５１は、回転軸を有するレバー状部から形成され、回転軸に設けた図示せぬねじりスプリングにより時計回りに常に付勢されることにより、レバー状部の先端がフェイスダウン用紙搬送経路３に突出した状態で係止している。なお、経路切換器５１のレバー状部を時計回りに付勢している場合には、記録媒体４がフェイスダウン用紙搬送経路３内に搬送される。同様に、経路切換器５１のレバー状部を反時計回りに付勢した場合には、記録媒体４がフェイスアップ用紙搬送経路２内に搬送される。また、フェイスアップ排出ローラ５２及びフェイスアップ排出コロ５３は、定着ユニット４０から経路切換器５１を経て搬送されてきた記録媒体４を挟むように対向して配設され、フェイスアップ排出ローラ５２の回転に付勢させてフェイスアップ排出コロ５３を従動させることで、記録媒体４をフェイスアップスタッカユニット６０に排出する。
【００１８】
フェイスアップ排出ユニット５０内に設けられたフェイスアップ排出センサ５４は、検出部であり、フェイスアップ排出ローラ５２とフェイスアップスタッカユニット６０の間に配設される。なお、フェイスアップ排出センサ５４は、回転軸を有するレバー状部から形成され、回転軸に設けた図示せぬねじりスプリングにより反時計回りに常に付勢されることにより、レバー状部の先端がフェイスアップ用紙搬送経路２に突出した状態で係止している。この様なフェイスアップ排出センサ５４は、記録媒体４がフェイスアップ排出ローラ５２を通過すると、記録媒体４がレバー状部の先端に当接してレバー状部が時計回りに回動することにより、記録媒体４の通過を検出する。また、本発明の実施形態に係る載置装置であるフェイスアップスタッカユニット６０は、画像情報を印刷して排出された記録媒体４Ａを除電した後に印刷面が表面になるように積載して収容する収納スペースである。なお、本発明の実施形態に係るフェイスアップスタッカユニット６０及びフェイスアップスタッカ駆動ユニット７０の詳細については後述する。
【００１９】
フェイスダウン排出ユニット８０は、定着ユニット４０から排出された記録媒体４を印刷面が裏面になるようにフェイスダウンスタッカユニット９０に排出する。また、フェイスダウン排出ユニット８０は、フェイスダウン搬送ローラ８１、フェイスダウン搬送コロ８２、フェイスダウン排出ローラ８３、及びフェイスダウン排出コロ８４から構成される。以下、フェイスダウン排出ユニット８０を構成する各構成部材について具体的に説明する。フェイスダウン搬送ローラ８１及びフェイスダウン搬送コロ８２は、定着ユニット４０から経路切換器５１を経て搬送されてきた記録媒体４を挟むように対向して配設され、フェイスダウン搬送ローラ８１の回転に付勢させてフェイスダウン搬送コロ８２を従動させることで、記録媒体４をフェイスダウン排出ローラ８３及びフェイスダウン排出コロ８４に排出する。また、フェイスダウン排出ローラ８３及びフェイスダウン排出コロ８４は、フェイスダウン搬送ローラ８１及びフェイスダウン搬送コロ８２から搬送されてきた記録媒体４を挟むように対向して配設され、フェイスダウン排出ローラ８３の回転に付勢させてフェイスダウン排出コロ８４を従動させることで、記録媒体４をフェイスダウンスタッカユニット９０に排出する。また、フェイスダウンスタッカユニット９０は、画像情報を印刷して排出された記録媒体４Ｂを印刷面が裏面になるように積載して収容する収納スペースである。
【００２０】
次に、本発明の実施形態に係る除電機能を有する載置装置であるフェイスアップスタッカユニット６０の構成について、図２乃至図４を参照しながら具体的に説明する。図２に画像形成装置１に配設されたフェイスアップスタッカユニット６０及びフェイスアップスタッカ駆動ユニット７０に係る構成図を、同様に図３に上面図を、同様に図４に側面図を示す。
【００２１】
フェイスアップスタッカユニット６０は、画像形成装置１の側面部に配設され、画像情報が印刷されてフェイスアップ排出ローラ５２及びフェイスアップ排出コロ５３から排出された記録媒体４Ａを除電した後に、印刷面が表面になるように積載して収容する収納スペースである。この様なフェイスアップスタッカユニット６０は、フェイスアップスタッカ６１、フェイスアップワイヤ６２、フェイスアップシャフト６３、及びフェイスアップアース６４から構成される。以下、フェイスアップスタッカユニット６０を構成する各構成部材について、図２乃至図４に加えて図５を参照しながら具体的に説明する。なお、図５はフェイスアップワイヤ６２及びフェイスアップシャフト６３に係る斜視図である。フェイスアップスタッカ６１は、フェイスアップ排出ローラ５２及びフェイスアップ排出コロ５３から排出された記録媒体４Ａを積載して収容する載置部である。なお、フェイスアップスタッカ６１の内部には、後述するフェイスアップワイヤ６２及びフェイスアップシャフト６３が配設される。この様なフェイスアップスタッカ６１は、記録媒体４Ａの進行方向に対する長さが例えば３６０ｍｍ、記録媒体４Ａの進行方向に直交する奥行きが例えば４２０ｍｍ、及び高さが例えば７０ｍｍの箱状部から形成されている。また、フェイスアップスタッカ６１は、例えばプラスチック材料により成型される。
【００２２】
フェイスアップスタッカユニット６０を構成するフェイスアップワイヤ６２は、支持部であり、排出された記録媒体４Ａをフェイスアップスタッカ６１に載置するように後述するフェイスアップスタッカ駆動ユニット７０により動作される。この様なフェイスアップワイヤ６２は、フェイスアップスタッカ６１内において、排出される記録媒体４Ａの進行方向に対して両側に延在するように、右側フェイスアップワイヤ６２Ａ及び左側フェイスアップワイヤ６２Ｂの一対から形成されている。なお、右側フェイスアップワイヤ６２Ａ及び左側フェイスアップワイヤ６２Ｂの構成は、対面同一である。このため、フェイスアップワイヤ６２の構成に係る説明は、右側フェイスアップワイヤ６２Ａを用いて行う。右側フェイスアップワイヤ６２Ａは、記録媒体４Ａの進行方向に係る部位である右側フェイスアップワイヤ中央部６２ＡＳ、記録媒体４Ａの進行方向に直交する奥行きに係る部位である右側フェイスアップワイヤ端部６２ＡＬ、及び高さ方向に係る部位である右側フェイスアップワイヤ柱部６２ＡＤにて一体に成形される。具体的には、右側フェイスアップワイヤ中央部６２ＡＳの両端部に、右側フェイスアップワイヤ端部６２ＡＬの一端部がそれぞれ直交してコの字型になるように成形される。同様に、右側フェイスアップワイヤ端部６２ＡＬの他端部に、右側フェイスアップワイヤ柱部６２ＡＤの一端部がそれぞれ直交してＬ字型になるように成形される。また、右側フェイスアップワイヤ中央部６２ＡＳの長さは例えば２７５ｍｍ、右側フェイスアップワイヤ端部６２ＡＬの長さは例えば７０ｍｍ、右側フェイスアップワイヤ柱部６２ＡＤの長さは例えば６５ｍｍ、及び各部の厚みは例えば直径５ｍｍである。また、フェイスアップワイヤ６２は、例えば導電性を有する鋼材により成形される。なお、記録媒体４Ａの載置に係る動作の詳細については後述する。
【００２３】
フェイスアップスタッカユニット６０を構成するフェイスアップシャフト６３は、円筒形状部から形成され、当該円筒形状部の一端部が後述するフェイスアップスタッカ駆動ユニット７０と接続される。また、右側フェイスアップワイヤ柱部６２ＡＤの他端部がそれぞれフェイスアップシャフト６３に対してかしめ処理により係合されている。同様に、左側フェイスアップワイヤ柱部６２ＢＤの他端部がそれぞれフェイスアップシャフト６３に対してかしめ処理により係合されている。なお、右側フェイスアップワイヤ柱部６２ＡＤ及び左側フェイスアップワイヤ柱部６２ＢＤにかしめ処理されているフェイスアップシャフト６３は、同一の構成である。また、フェイスアップシャフト６３の長さは例えば３５０ｍｍ、及び厚みは例えば直径１２ｍｍであり、例えば導電性を有する鋼材により成型される。また、フェイスアップアース６４は、フェイスアップワイヤ６２と画像形成装置１に設けられた放電効果を有する図示せぬ板金部材を接続した電線である。この様なフェイスアップアース６４は、記録媒体４Ａに蓄積した電荷を除電する。また、回動孔６５は、フェイスアップスタッカ６１に設けられた例えば３５ｍｍ及び４５ｍｍの長方形状部から形成された孔であり、右側フェイスアップワイヤ柱部６２ＡＤ及び左側フェイスアップワイヤ柱部６２ＢＤを、それぞれ貫通させている。なお、後述するように右側フェイスアップワイヤ６２Ａ及び左側フェイスアップワイヤ６２Ｂを回動させても、フェイスアップスタッカ６１に回動孔６５を設けていることにより、右側フェイスアップワイヤ柱部６２ＡＤ及び左側フェイスアップワイヤ柱部６２ＢＤは、フェイスアップスタッカ６１に接触しない。
【００２４】
フェイスアップスタッカ駆動ユニット７０は、フェイスアップシャフト６３の一端部に接続され、フェイスアップワイヤ６２を動作させる。この様なフェイスアップスタッカ駆動ユニット７０は、二段ギア７１及び二段ギア駆動モータ７２から構成される。以下、フェイスアップスタッカ駆動ユニット７０を構成する各構成部材について、図２乃至図４に加えて図６を参照しながら具体的に説明する。なお、図６は二段ギア７１及び二段ギア駆動モータ７２に係る構成図である。フェイスアップシャフト６３の一端部はフェイスアップスタッカ駆動ユニット７０を構成する二段ギア７１と連結され、当該二段ギア７１は二段ギア駆動モータ７２と連結されている。また、二段ギア７１は、第１かさ歯ギア７１Ｈ、第２かさ歯ギア７１Ｉ、第１平歯ギア７１Ｊ、及び第２平歯ギア７１Ｋから構成される。フェイスアップシャフト６３の一端部が接合された第１かさ歯ギア７１Ｈは、第２かさ歯ギア７１Ｉと直交した配置により回動可能に当接する。また、当該第２かさ歯ギア７１Ｉは第１平歯ギア７１Ｊと並行した配置により回動可能に当接する。同様に、当該第１平歯ギア７１Ｊは第２平歯ギア７１Ｋと隣接した配置により回動可能に当接する。なお、平歯ギアは所定の回転速度に動力を変換して伝達するギアであり、かさ歯ギアは所定の回転速度及び回転方向に動力を変換して伝達するギアである。二段ギア駆動モータ７２は、二段ギア７１を構成する第２平歯ギア７１Ｋと接合し、後述する媒体載置制御部１００の制御に基づいて、二段ギア７１に接続されたフェイスアップワイヤ６２を回動させる。
【００２５】
次に、フェイスアップワイヤ６２を回動させる二段ギア駆動モータ７２を制御する媒体載置制御部１００について、図７を参照しながら具体的に説明する。図７に媒体載置制御部１００に係る模式図を示す。
【００２６】
媒体載置制御部１００は、制御部であり、センサ監視部１０１、モータ制御部１０２、及びタイマーカウンタ１０３から構成される。以下、媒体載置制御部１００を構成する各構成部材について説明する。センサ監視部１０１は、記録媒体４Ａがフェイスアップ排出ローラ５２及びフェイスアップ排出コロ５３を通過したか否かを、フェイスアップ排出センサ５４から送信されるＯＮ-ＯＦＦ信号により検出する。モータ制御部１０２は、センサ監視部１０１からの指令に基づいて、二段ギア駆動モータ７２を駆動する。タイマーカウンタ１０３は、モータ制御部１０２からの指令に基づいて、二段ギア駆動モータ７２の駆動タイミングを計測する。なお、図７中においては、フェイスアップ排出センサ５４をＦＵ排出センサ５４と記載している。
【００２７】
次に、フェイスアップワイヤ６２に一時的に支持された記録媒体４Ａを、フェイスアップワイヤ６２を回動させることにより、フェイスアップスタッカ６１に搬送して載置する動作について、図８乃至図１２を参照しながら具体的に説明する。図８にフェイスアップ排出センサ５４及び二段ギア駆動モータ７２の制御に係るタイムチャートを示す。また、図９乃至図１２にフェイスアップスタッカユニット６０におけるフェイスアップワイヤ６２の動作に係る模式図を示す。
【００２８】
フェイスアップスタッカユニット６０におけるフェイスアップワイヤ６２の動作について、図８に示したタイムチャートを併用しながら、図９乃至図１２を参照して説明する。なお、図８中に記載した時刻ｔ１乃至時刻ｔ５の説明を表１に示す。
【００２９】
【表１】
2010099892.tif 000003
【００３０】
第１の記録媒体４Ｃが、フェイスアップ排出ローラ５２及びフェイスアップ排出コロ５３から排出され、記録媒体４Ｃの後端がフェイスアップ排出センサ５４を通過すると、センサ監視部１０１がフェイスアップ排出センサ５４から送信された＋Ｖ１信号により当該通過を検出する。なお、当該検出時刻はｔ１である。また、記録媒体４Ｃは、右側フェイスアップワイヤ６２Ａ及び左側フェイスアップワイヤ６２Ｂに一時的に支持された状態で待機状態となる。次に、モータ制御部１０２は、センサ監視部１０１からの指令に基づいて、二段ギア駆動モータ７２をＯＮする。なお、当該ＯＮされた時刻はｔ２である。この時、右側フェイスアップワイヤ６２Ａは右側フェイスアップワイヤ正回転６６Ａにより回動し、且つ、左側フェイスアップワイヤ６２Ｂは左側フェイスアップワイヤ正回転６６Ｂにより回動することにより離間する。また、この時のフェイスアップワイヤ６２の動作は図９で示される。次に、記録媒体４Ｃは、右側フェイスアップワイヤ６２Ａ及び左側フェイスアップワイヤ６２Ｂから落下して、フェイスアップスタッカ６１に載置される。なお、フェイスアップアース６４が、フェイスアップワイヤ６２と画像形成装置１に設けられた放電効果を有する図示せぬ板金部材間に接続されていることから、記録媒体４Ｃに蓄積した電荷は除電される。
【００３１】
タイマーカウンタ１０３が、モータ制御部１０２からの指令に基づいて、二段ギア駆動モータ７２の駆動タイミングを計測し、所定時間ｔ３に達したことを検知する。この時、右側フェイスアップワイヤ６２Ａは右側フェイスアップワイヤ逆回転６７Ａにより回動し、且つ、左側フェイスアップワイヤ６２Ｂは左側フェイスアップワイヤ逆回転６７Ｂにより回動することにより近接して元の配置に戻る。また、この時のフェイスアップワイヤ６２の動作は図１０で示される。次に、タイマーカウンタ１０３が、モータ制御部１０２からの指令に基づいて、二段ギア駆動モータ７２の駆動タイミングを計測し、所定時間ｔ４に達したことを検知する。この時、モータ制御部１０２は、センサ監視部１０１からの指令に基づいて、二段ギア駆動モータ７２をＯＦＦする。また、この時のフェイスアップワイヤ６２の動作は図１１で示される。次に、第２の記録媒体４Ｄが、フェイスアップ排出ローラ５２及びフェイスアップ排出コロ５３から排出され、記録媒体４Ｄの後端がフェイスアップ排出センサ５４を通過すると、センサ監視部１０１がフェイスアップ排出センサ５４から送信された＋Ｖ１信号により当該通過を検出する。なお、当該検出時刻はｔ５である。また、記録媒体４Ｄは、右側フェイスアップワイヤ６２Ａ及び左側フェイスアップワイヤ６２Ｂに一時的に支持された状態で待機状態となる。また、この時のフェイスアップワイヤ６２の動作は図１２で示される。上述したフェイスアップワイヤ６２に係る動作は、記録媒体４Ａがフェイスアップ排出ローラ５２及びフェイスアップ排出コロ５３から排出される度に、繰り返し実行される。
【００３２】
以上、第１の実施形態に係る載置装置及び画像形成装置１によれば、印刷面が表面になるようにフェイスアップスタッカユニット６０に排出された記録媒体Ａ４は、フェイスアップワイヤ６２に一時的に支持されることにより、フェイスアップスタッカ６１に載置された記録媒体４Ａと離間した状態で排出することができる。従って、記録媒体４Ａの座屈及び接触等に起因する排出不良を防止することができる。さらに、除電機能を有するフェイスアップワイヤ６２により記録媒体４Ａを除電してからフェイスアップスタッカ６１に載置することができる。従って、積載された記録媒体４Ａが静電気により密着することを防止できる。
【００３３】
［第２の実施形態］
次に、本発明の第２の実施形態に係る載置装置及び画像形成装置について説明する。なお、第２の実施形態においては、フェイスアップワイヤ１１２により排出される記録媒体４Ａを裏面側から一時的に押し上げることに特徴を有し、それ以外の載置装置及び画像形成装置に係る構成は、第１の実施形態で述べた載置装置及び画像形成装置１の構成と同様である。このため、第２の実施形態においては、第１の実施形態と異なる構成を中心にして具体的に説明する。
【００３４】
まず、本発明の実施形態に係る除電機能を有する載置装置であるフェイスアップスタッカユニット１１０の構成について、図１３乃至図１５を参照しながら具体的に説明する。図１３に画像形成装置に配設されたフェイスアップスタッカユニット１１０及びフェイスアップスタッカ駆動ユニット７０に係る上面図、同様に図１４に側面図、及び図５にフェイスアップワイヤ１１２及びフェイスアップシャフト６３に係る斜視図を示す。
【００３５】
フェイスアップスタッカユニット１１０は、画像形成装置の側面部に配設され、画像情報が印刷されてフェイスアップ排出ローラ５２及びフェイスアップ排出コロ５３から排出された記録媒体４Ａを除電した後に、印刷面が表面になるように積載して収容する収納スペースである。この様なフェイスアップスタッカユニット１１０は、フェイスアップスタッカ１１１、及びフェイスアップワイヤ１１２に加えて、第１の実施形態と同様の構成部材であるフェイスアップシャフト６３、及びフェイスアップアース６４から構成される。このためフェイスアップスタッカ１１１、及びフェイスアップワイヤ１１２について具体的に説明する。フェイスアップスタッカ１１１は、第１の実施形態に係るフェイスアップスタッカ６１の構成に加えて、回動孔１１５を設けることに特徴を有する。このため回動孔１１５について説明する。回動孔１１５は、フェイスアップスタッカ１１１に設けられた例えば３００ｍｍ及び３５ｍｍの長方形状部から形成された孔であり、後述する右側フェイスアップワイヤ押出部１１２ＡＫ及び左側フェイスアップワイヤ押出部１１２ＢＫを、それぞれ貫通させている。なお、右側フェイスアップワイヤ押出部１１２ＡＫ及び左側フェイスアップワイヤ押出部１１２ＢＫをそれぞれを回動させても、フェイスアップスタッカ１１１に回動孔１１５を設けていることにより、右側フェイスアップワイヤ押出部１１２ＡＫ及び左側フェイスアップワイヤ押出部１１２ＢＫは、フェイスアップスタッカ１１１に接触しない。
【００３６】
フェイスアップスタッカユニット１１０を構成するフェイスアップワイヤ１１２は、排出された記録媒体４Ａをフェイスアップスタッカ１１１に載置するようにフェイスアップスタッカ駆動ユニット７０により動作される。この様なフェイスアップワイヤ１１２は、フェイスアップスタッカ１１１内において、排出される記録媒体４Ａの進行方向に対して両側に延在するように、右側フェイスアップワイヤ１１２Ａ及び左側フェイスアップワイヤ１１２Ｂの一対から形成されている。なお、右側フェイスアップワイヤ１１２Ａ及び左側フェイスアップワイヤ１１２Ｂの構成は、対面同一である。このため、フェイスアップワイヤ１１２の構成に係る説明は、右側フェイスアップワイヤ１１２Ａを用いて行う。右側フェイスアップワイヤ１１２Ａは、第１の実施形態の右側フェイスアップワイヤ６２Ａと同様の構成部材である右側フェイスアップワイヤ中央部６２ＡＳ、右側フェイスアップワイヤ端部６２ＡＬ、及び右側フェイスアップワイヤ柱部６２ＡＤに加えて、第２の実施形態の右側フェイスアップワイヤ１１２Ａに特有の構成部材である右側フェイスアップワイヤ支持部１１２ＡＥ、及び右側フェイスアップワイヤ押出部１１２ＡＫから構成される。
【００３７】
このため、右側フェイスアップワイヤ支持部１１２ＡＥ、及び右側フェイスアップワイヤ押出部１１２ＡＫについて説明する。右側フェイスアップワイヤ支持部１１２ＡＥは、右側フェイスアップワイヤ支持部１１２ＡＥの一端部が右側フェイスアップワイヤ柱部６２ＡＤの他端部にそれぞれ直交してフェイスアップシャフト６３に当接し、且つ、右側フェイスアップワイヤ中央部６２ＡＳに対して平行になるように成形される。右側フェイスアップワイヤ押出部１１２ＡＫは、右側フェイスアップワイヤ支持部１１２ＡＥの他端部とそれぞれ略直交してＬ字型になるように成形される。なお、右側フェイスアップワイヤ１１２Ａは、右側フェイスアップワイヤ中央部６２ＡＳ、右側フェイスアップワイヤ端部６２ＡＬ、右側フェイスアップワイヤ柱部６２ＡＤ、右側フェイスアップワイヤ支持部１１２ＡＥ、及び右側フェイスアップワイヤ押出部１１２ＡＫを鋼材等により一体に成型される。また、右側フェイスアップワイヤ支持部１１２ＡＥの長さは例えば１７０ｍｍ、及び右側フェイスアップワイヤ押出部１１２ＡＫの長さは例えば２５ｍｍである。右側フェイスアップワイヤ支持部１１２ＡＥ及び右側フェイスアップワイヤ押出部１１２ＡＫの厚みは例えば直径５ｍｍである。また、フェイスアップワイヤ１１２は、例えば導電性を有する鋼材により成形される。なお、記録媒体４Ａの載置に係る動作の詳細については後述する。
【００３８】
次に、フェイスアップワイヤ１１２に一時的に支持された記録媒体４Ａを、フェイスアップワイヤ１１２を回動させることにより、フェイスアップスタッカ１１１に搬送して載置する動作について、図１６乃至図１９にフェイスアップスタッカユニット１１０におけるフェイスアップワイヤ１１２の動作に係る模式図を示す。
【００３９】
フェイスアップスタッカユニット１１０におけるフェイスアップワイヤ１１２の動作は、第１の実施形態に係るフェイスアップスタッカユニット６０におけるフェイスアップワイヤ６２の動作に加え、右側フェイスアップワイヤ押出部１１２ＡＫ及び左側フェイスアップワイヤ押出部１１２ＢＫを用いることが第２の実施形態に特有である。このため、当該部分について具体的に説明する。時刻ｔ２において、右側フェイスアップワイヤ１１２Ａは右側フェイスアップワイヤ正回転６６Ａにより回動し、且つ、左側フェイスアップワイヤ１１２Ｂは左側フェイスアップワイヤ正回転６６Ｂにより回動して離間する。時刻ｔ３において、右側フェイスアップワイヤ１１２Ａは右側フェイスアップワイヤ逆回転６７Ａにより回動し、且つ、左側フェイスアップワイヤ１１２Ｂは左側フェイスアップワイヤ逆回転６７Ｂにより回動することにより近接して元の配置に戻る。落下してきた第１の記録媒体４Ｅの中央部を右側フェイスアップワイヤ押出部１１２ＡＫ及び左側フェイスアップワイヤ押出部１１２ＢＫにより押し上げてから元に戻すことにより、右側フェイスアップワイヤ１１２Ａ及び左側フェイスアップワイヤ１１２Ｂの回動に起因して中央部が湾曲した記録媒体４Ｅの座屈を補正し、且つ、載置後の記録媒体４Ｅも右側フェイスアップワイヤ押出部１１２ＡＫ及び左側フェイスアップワイヤ押出部１１２ＢＫが当接することにより除電できる。また、この時のフェイスアップワイヤ１１２の動作は図１７で示される。
【００４０】
以上、第２の実施形態に係る載置装置及び画像形成装置によれば、印刷面が表面になるようにフェイスアップスタッカユニット１１０に排出された記録媒体Ａ４は、フェイスアップワイヤ１１２に一時的に支持されることにより、フェイスアップスタッカ１１１に載置された記録媒体４Ａと離間した状態で排出することができる。従って、記録媒体４Ａの座屈及び接触等に起因する排出不良を防止することができる。また、右側フェイスアップワイヤ１１２Ａ及び左側フェイスアップワイヤ１１２Ｂの回動に伴い、落下してきた記録媒体４Ａの中央部を右側フェイスアップワイヤ押出部１１２ＡＫ及び左側フェイスアップワイヤ押出部１１２ＢＫにより押し上げてから元に戻すことで、右側フェイスアップワイヤ１１２Ａ及び左側フェイスアップワイヤ１１２Ｂの回動に起因して中央部が湾曲した記録媒体４Ａの座屈を補正できる。従って、記録媒体４Ａをフェイスアップスタッカ１１１に載置する時に記録媒体４Ａが座屈することを防止できる。さらに、除電機能を有するフェイスアップワイヤ１１２により記録媒体４Ａを除電してからフェイスアップスタッカ１１１に載置することができ、且つ、載置後の記録媒体４Ａも除電することができる。従って、積載された記録媒体４Ａが静電気により密着することを防止することができる。
【００４１】
なお、上述した第１及び第２の実施形態においては、画像形成装置を、フェイスアップスタッカユニット６０及びフェイスアップスタッカユニット１１０を設けた電子写真式のカラープリンタとして説明したが、当該フェイスアップスタッカユニット６０及びフェイスアップスタッカユニット１１０を、インクジェットプリンタ、ドットマトリクスプリンタ、複写機、モノクロプリンタ、ファクシミリ装置、自動原稿読み取り装置、プロッタ、及びＭＦＰ装置などに設けても良い。また、フェイスアップスタッカユニット６０及びフェイスアップスタッカユニット１１０の構成を、フェイスダウン排出ユニット８０の構成に適用しても良い。また、一対のフェイスアップワイヤ６２及びフェイスアップワイヤ１１２を互いに離間及び近接するように動作させる構成としたが、当該一対のフェイスアップワイヤ６２及びフェイスアップワイヤ１１２を互いに平行移動するように動作させる構成としても良い。また、回動孔６５及び回動孔１１５は、フェイスアップワイヤ６２及びフェイスアップワイヤ１１２が記録媒体４Ａに当接して回動できれば配設する位置が限定されるものではなく、且つ、フェイスアップワイヤ６２及びフェイスアップワイヤ１１２が干渉しなければ設ける必要は無い。また、本発明の実施形態に係る画像形成ユニット２０は、ブラック色、イエロー色、マゼンタ色、及びシアン色の４色に対応する画像情報を現像する４つの画像形成ユニット２０Ｋ、２０Ｙ、２０Ｍ、及び２０Ｃを備えるが、ブラック色を除いた３色に対応する３つの画像形成ユニット２０Ｙ、２０Ｍ、及び２０Ｃを備えても良い。同様に、それぞれブラック色に対応する画像情報を現像する２つの画像形成ユニット２０Ｋを備えても良い。このように、画像形成ユニット２０の個数、画像形成ユニット２０の色の組み合わせ、配設位置等は限定されるものではなく、本発明の要旨を逸脱しない範囲において適宜変更可能である。
【図面の簡単な説明】
【００４２】
【図１】本発明の第１の実施形態の画像形成装置を示す構成図である。
【図２】本発明の第１の実施形態の画像形成装置に設けられたフェイスアップスタッカユニット及びフェイスアップスタッカ駆動ユニットを示す構成図である。
【図３】本発明の第１の実施形態の画像形成装置に設けられたフェイスアップスタッカユニット及びフェイスアップスタッカ駆動ユニットを示す上面図である。
【図４】本発明の第１の実施形態の画像形成装置に設けられたフェイスアップスタッカユニット及びフェイスアップスタッカ駆動ユニットを示す側面図である。
【図５】本発明の第１の実施形態に係るフェイスアップワイヤ及びフェイスアップシャフトを示す斜視図である。
【図６】本発明の第１の実施形態に係る二段ギア及び二段ギア駆動モータを示す斜視図である。
【図７】本発明の第１の実施形態に係る媒体載置制御部を示す模式図である。
【図８】本発明の第１の実施形態に係るフェイスアップ排出センサ及び二段ギア駆動モータの制御を示すタイムチャートである。
【図９】本発明の第１の実施形態に係るフェイスアップスタッカユニットにおけるフェイスアップワイヤの動作を示す模式図である。
【図１０】本発明の第１の実施形態に係るフェイスアップスタッカユニットにおけるフェイスアップワイヤの動作を示す模式図である。
【図１１】本発明の第１の実施形態に係るフェイスアップスタッカユニットにおけるフェイスアップワイヤの動作を示す模式図である。
【図１２】本発明の第１の実施形態に係るフェイスアップスタッカユニットにおけるフェイスアップワイヤの動作を示す模式図である。
【図１３】本発明の第２の実施形態の画像形成装置に設けられたフェイスアップスタッカユニット及びフェイスアップスタッカ駆動ユニットを示す上面図である。
【図１４】本発明の第２の実施形態の画像形成装置に設けられたフェイスアップスタッカユニット及びフェイスアップスタッカ駆動ユニットを示す側面図である。
【図１５】本発明の第２の実施形態に係るフェイスアップワイヤ及びフェイスアップシャフトを示す斜視図である。
【図１６】本発明の第２の実施形態に係るフェイスアップスタッカユニットにおけるフェイスアップワイヤの動作を示す模式図である。
【図１７】本発明の第２の実施形態に係るフェイスアップスタッカユニットにおけるフェイスアップワイヤの動作を示す模式図である。
【図１８】本発明の第２の実施形態に係るフェイスアップスタッカユニットにおけるフェイスアップワイヤの動作を示す模式図である。
【図１９】本発明の第２の実施形態に係るフェイスアップスタッカユニットにおけるフェイスアップワイヤの動作を示す模式図である。
【符号の説明】
【００４３】
１  画像形成装置
２  フェイスアップ用紙搬送経路
３  フェイスダウン用紙搬送経路
４，４Ａ，４Ｂ，４Ｃ，４Ｄ，４Ｅ，４Ｆ  記録媒体
１０  給紙部１０
１１  カセットトレイ
１２  リタードローラ
１３  給紙ローラ
１４  プレッシャローラ
１５  レジストローラ
２０，２０Ｋ，２０Ｙ，２０Ｍ，２０Ｃ  画像形成ユニット
２１  感光体ドラム
２２  帯電ローラ
２３  ＬＥＤヘッド
２４  トナー
２５  トナーカートリッジ
２６  トナー供給ローラ
２７  現像ローラ
２８  現像ブレード
２９  クリーニングブレード
３０  転写ユニット
３１  転写ベルト
３２  ドライブローラ
３３  アイドルローラ
３４  転写ローラ
４０  定着ユニット
４１  定着ローラ
４２  加圧ローラ
５０  フェイスアップ排出ユニット
５１  経路切換器
５２  フェイスアップ排出ローラ
５３  フェイスアップ排出コロ
５４  フェイスアップ排出センサ
６０  フェイスアップスタッカユニット
６１  フェイスアップスタッカ
６２  フェイスアップワイヤ
６２Ａ  右側フェイスアップワイヤ
６２ＡＳ  右側フェイスアップワイヤ中央部
６２ＡＬ  右側フェイスアップワイヤ端部
６２ＡＤ  右側フェイスアップワイヤ柱部
６２Ｂ  左側フェイスアップワイヤ
６２ＢＳ  左側フェイスアップワイヤ中央部
６２ＢＬ  左側フェイスアップワイヤ端部
６２ＢＤ  左側フェイスアップワイヤ柱部
６３  フェイスアップシャフト
６４  フェイスアップアース
６５  回動孔
６６Ａ  右側フェイスアップワイヤ正回転
６６Ｂ  左側フェイスアップワイヤ正回転
６７Ａ  右側フェイスアップワイヤ逆回転
６７Ｂ  左側フェイスアップワイヤ逆回転
７０  フェイスアップスタッカ駆動ユニット
７０Ａ  右側フェイスアップスタッカ駆動ユニット
７０Ｂ  左側フェイスアップスタッカ駆動ユニット
７１  二段ギア
７１Ｈ  第１かさ歯ギア
７１Ｉ  第２かさ歯ギア
７１Ｊ  第１平歯ギア
７１Ｋ  第２平歯ギア
７２  二段ギア駆動モータ
８０  フェイスダウン排出ユニット
８１  フェイスダウン搬送ローラ
８２  フェイスダウン搬送コロ
８３  フェイスダウン排出ローラ
８４  フェイスダウン排出コロ
９０  フェイスダウンスタッカユニット
１００  媒体載置制御部
１０１  センサ監視部
１０２  モータ制御部
１０３  タイマーカウンタ
１１０  フェイスアップスタッカユニット
１１１  フェイスアップスタッカ
１１２  フェイスアップワイヤ
１１２Ａ  右側フェイスアップワイヤ
１１２ＡＥ  右側フェイスアップワイヤ支持部
１１２ＡＫ  右側フェイスアップワイヤ押出部
１１２Ｂ  左側フェイスアップワイヤ
１１２ＢＥ  左側フェイスアップワイヤ支持部
１１２ＢＫ  左側フェイスアップワイヤ押出部
１１５  回動孔
【図１】
2010099892.tif 000004
【図２】
2010099892.tif 000005
【図３】
2010099892.tif 000006
【図４】
2010099892.tif 000007
【図５】
2010099892.tif 000008
【図６】
2010099892.tif 000009
【図７】
2010099892.tif 000010
【図８】
2010099892.tif 000011
【図９】
2010099892.tif 000012
【図１０】
2010099892.tif 000013
【図１１】
2010099892.tif 000014
【図１２】
2010099892.tif 000015
【図１３】
2010099892.tif 000016
【図１４】
2010099892.tif 000017
【図１５】
2010099892.tif 000018
【図１６】
2010099892.tif 000019
【図１７】
2010099892.tif 000020
【図１８】
2010099892.tif 000021
【図１９】
2010099892.tif 000022